(57)【要約】      （修正有）【課題】ボイラーの稼働から得られる一つのエネルギー源で電力供給，暖房及び融雪を可能とした経済的で環境に優しい住宅用暖房融雪システムを提供する。【解決手段】内部に蒸気が流通し、外周面に蒸気の噴射孔が多数穿設され、噴射孔が屋根に積もった雪に向かうように設置された融雪パイプ２と、融雪パイプ２に連結され、蒸気の発生源となるボイラー３と、ボイラー３で発生する蒸気を電力に換える発電機７と、ボイラー３で発生する熱媒体で循環する空気を暖める熱交換機８とを備える。【選択図】図２
0003176984.tif 000002
【実用新案登録請求の範囲】
【請求項１】
内部に蒸気が流通し、外周面に蒸気の噴射孔が多数穿設され、前記噴射孔が屋根に積もった雪に向かうように設置された融雪パイプと、
前記融雪パイプに連結され、前記蒸気の発生源となるボイラーと、
前記ボイラーで発生する蒸気を電力に換える発電機と、
前記ボイラーで発生する熱媒体で循環する空気を暖める熱交換機とを備え、
前記ボイラーで発生するエネルギーによって、住宅において、電力供給，暖房及び融雪を可能に構成したことを特徴とする住宅用暖房融雪システム。
【考案の詳細な説明】
【技術分野】
【０００１】
本考案は、ボイラーを稼働することにより電力供給，暖房及び融雪を可能とした住宅用暖房融雪システムに関する。
【背景技術】
【０００２】
この種の屋根の積雪を融雪する装置に関して、従来、図３に示す技術が知られている（例えば、特許文献１を参照。）。この従来の融雪装置１０１は、基端をボイラー１０２の蒸気噴出口１０３に連結した供給パイプ１０４及び供給パイプ１０４と連続する噴射パイプ１０７，１０８を屋根１０５，１０６上面へ配設すると共に、不連続の先端口は閉止したこと、屋根面と平行面へ供給した蒸気を噴射する放射孔１０９を屋根１０５，１０６上面へ配設した噴射パイプ１０７，１０８及び供給パイプ１０４に設けたことを特徴としている。
【０００３】
この融雪装置によれば、ボイラー１０２より発生した蒸気は、蒸気圧で連結した供給パイプ１０４内を進み、放射孔１０９より噴射パイプ１０７，１０８外へ噴射して融雪することができる。
【先行技術文献】
【特許文献】
【０００４】
【特許文献１】特開平１１−３２４４０６号公報
【考案の概要】
【考案が解決しようとする課題】
【０００５】
しかしながら、従来の融雪装置１０１は、蒸気発生ボイラー１０２が、屋根に積もった雪を融雪するために設置されるものであり、ボイラー１０２を稼働した際に生まれるエネルギーを他の用途で使い切ることができていなかった。
【０００６】
そこで、本考案が解決しようとする課題は、ボイラーの稼働から得られる一つのエネルギー源で電力供給，暖房及び融雪を可能とした、経済的で環境に優しい住宅用暖房融雪システムを提供することである。
【課題を解決するための手段】
【０００７】
この考案は、前記課題を解決するためになされたもので、請求項１に記載の住宅用暖房融雪システムは、内部に蒸気が流通し、外周面に蒸気の噴射孔が多数穿設され、前記噴射孔が屋根に積もった雪に向かうように設置された融雪パイプと、前記融雪パイプに連結され、前記蒸気の発生源となるボイラーと、前記ボイラーで発生する蒸気を電力に換える発電機と、前記ボイラーで発生する熱媒体で循環する空気を暖める熱交換機とを備え、前記ボイラーで発生するエネルギーによって、住宅において、電力供給，暖房及び融雪を可能に構成したことを特徴としている。
【０００８】
請求項１に記載の住宅用暖房融雪システムによれば、内部に蒸気が流通し、外周面に蒸気の噴射孔が多数穿設され、噴射孔が屋根に積もった雪に向かうように設置された融雪パイプとボイラーとが連結されているため、ボイラー稼働時に融雪パイプの中を蒸気が流通し、噴射口から外へと蒸気が噴射されることで、蒸気の熱が屋根に積もった雪を融雪し、人の手を介さなくとも自然と屋根の雪を地面に落とすことができる。
【０００９】
また、請求項１に記載の住宅用暖房融雪システムによれば、ボイラーで発生する蒸気を電力に換える発電機を備えているため、ボイラー稼働時に沸騰する水から出る蒸気により、発電機と接続したタービンが回ることで発電することができる。さらに、発電した電力をインバーター及び分電盤を介して建物に供給することができる。
【００１０】
また、請求項１に記載の住宅用暖房融雪システムによれば、ボイラー稼働時に発生する熱媒体で循環する空気を暖める熱交換機を備えているため、ボイラーで作られた温水と取り込んだ外気とをファンコイルユニットに送ることで温風を作り、その温風を送風機によって屋内に送り出すことで、暖房とすることができる。
【００１１】
さらに、請求項１に記載の住宅用暖房融雪システムによれば、ボイラーで発生するエネルギーによって、住宅において、電力供給，暖房及び融雪を可能にしているため、ボイラーの稼働から得られる一つのエネルギー源で電力供給，暖房及び融雪のそれぞれの効果を得ることができると同時に、燃料を家庭で出る廃材やゴミとすることで、経済的で環境にも優しい。
【考案の効果】
【００１２】
ボイラーの稼働から得られる一つのエネルギー源で電力供給，暖房及び融雪のそれぞれの効果を得ることができると同時に、燃料を家庭で出る廃材やゴミとすることで、経済的で環境にも優しい住宅用暖房融雪システムを提供することができる。
【図面の簡単な説明】
【００１３】
【図１】本考案に係る住宅用暖房融雪システムの一実施形態を示す模式図である。
【図２】本考案に係る住宅用暖房融雪システムのプロセスフロー図である。
【図３】従来の屋根の積雪を融雪する装置の説明に供する図である。
【考案を実施するための形態】
【００１４】
以下、本考案を適用した具体的な実施の形態について、図面を参照しながら詳細に説明する。本考案は、例えば、図１及び図２に示すような構成の住宅用暖房融雪システム１に適用される。
【００１５】
先ず、図２を参照して、住宅用暖房融雪システム１の構成の概略について説明する。この住宅用暖房融雪システム１は、内部に蒸気が流通し、外周面に蒸気の噴射口１１（図示省略）が多数穿設され、噴射孔１１が屋根に積もった雪に向かうように設置された融雪パイプ２と、融雪パイプ２に連結され、蒸気の発生源となるボイラー３と、ボイラー３で発生する蒸気を電力に換える発電機４と、ボイラー３で発生する熱媒体で循環する空気を暖める熱交換機５とを主要部として備えている。
【００１６】
融雪パイプ２は、ボイラー３の排気口に接続され、住宅の外壁を伝い屋根に敷かれている。融雪パイプ２の外周面には噴射孔１１が多数穿設されている。噴射孔１１は、屋根に敷かれていない外周面に配されているため、ボイラー３が稼働した際に出る蒸気は、パイプの中を流通し、噴射孔１１を介して外へ噴射されることにより、屋根に積もった雪を解かす。
【００１７】
ボイラー３は、燃焼ボイラーであれば足り、燃料は、例えば、ガス，石炭，重油等があげられる。ボイラー３は、燃料を燃やすことで水を加熱沸騰させ蒸気を発生させる。ボイラー３の排気口と融雪パイプ２とが接続され、水を加熱沸騰させたときに生じる蒸気の一部は、融雪パイプ２を介して屋根に積もった雪を解かす。
【００１８】
また、ボイラー３は、タービン４及び給水ポンプ６と接続されており、蒸気の一部はタービン４へ流れ、給水ポンプ６により加熱沸騰させる水は絶え間なく注入される。
【００１９】
復水器５は、タービン４から水蒸気が供給され、給水ポンプ６に出水されるように配管されている。復水器５は、ボイラー３の加熱により生じた蒸気を水に戻す機器で、蒸気を水にして体積を減らすことにより高い真空状態を作り、蒸気の流れをよくしてタービン４による発電効率を高める。
【００２０】
給水ポンプ６は、一方を復水器５と他方をボイラー３と接続されており、復水器５が回収した水をボイラー３へと注入する。給水ポンプ６は、タービン４の効果を高めるために水に戻した蒸気を、再びボイラー３で加熱沸騰するためにボイラー３へ注入する。
【００２１】
発電機７は、タービン４の軸（タービン軸）と接合されており、ボイラー３が稼働し水を加熱沸騰させた際に出る蒸気により、タービン４が回ることで発電している。
【００２２】
インバーター９は、発電機７に接続されており、発電機７で発電された電気を交流電流に変換する。
【００２３】
分電盤１０は、インバーター９で交流電流に変換された電力を受け、住宅内のそれぞれの電力供給先に電力を流す。
【００２４】
熱交換機８は、タービン４と接続されており、ボイラー３が稼働し水を加熱沸騰した際に出る蒸気によって住宅内に配管された配管内の空気を温める。配管内で温められた空気は、送風機によって住宅内に設けられた吹き出し口から吹き出され、暖房の役割を果たす。
【００２５】
続いて、住宅用暖房融雪システム１の動作について説明する。ユーザは、先ず、住宅内に設置されているボイラー３のスイッチを入れる。スイッチを入れることにより、ボイラー３の稼働が始まる。この住宅用暖房融雪システム１の場合、燃料を家庭から出る廃材やゴミとすることもできるため、廃材やゴミを燃料として使う時には、スイッチを入れる前に、廃材やゴミをボイラー３の中に入れておく必要がある。
【００２６】
ボイラー３は、燃料を燃やすことでボイラー３の中にある水を加熱沸騰させる。水が加熱沸騰することで蒸気が発生し、その蒸気は融雪パイプ２とタービン４へと流れる。復水器５で、蒸気は水へと戻され、給水ポンプ６によって、再びボイラー３へ注入される。
【００２７】
ボイラー３の稼働により水が加熱沸騰して発生した蒸気の一部は融雪パイプ２へ流れる。したがって、ボイラー３を循環する水の量が融雪パイプ２へ流れる分だけ減っていくので、その減量分だけ加水する。
【００２８】
融雪パイプ２の中を流れる蒸気は、融雪パイプ２の外周面に設けられた噴射孔１１を介して外へと噴射され、この蒸気によって屋根に積もった雪が解ける。タービン４へ流れた蒸気によって、タービン４が回転し発電機７で発電する。タービン４から出力された一部の蒸気は熱交換機８へと流れる。
【００２９】
発電機７で発電された電気は、インバーター９で交流電流に換えられた後、分電盤１０を通り、住宅内の各電化製品へと供給される。熱交換機８へと取り込まれた蒸気は、住宅内に配管された配管内の空気を温め、送風機によって住宅内に送られる。
【００３０】
上述した住宅用暖房融雪システム１を適用した住宅では、住人は冬場に多大な労力と大きな危険の生じる屋根の雪下ろしをする必要がなくなる。また、ボイラー３を稼働することで生じる一つのエネルギーを発電，暖房及び融雪のそれぞれに分配することができ、エネルギーを効率よく消費することができる。さらに、ボイラー３を稼働するための燃料を家庭から出る廃材やゴミとすることができるため、経済的で地球に優しい生活を送ることができる。
【００３１】
なお、本考案は前述した実施の形態のみに限定されるものではなく、本考案の要旨を逸脱しない範囲において種々の変更が可能であることは勿論である。例えば、暖房を床暖房としてもよい。
【符号の説明】
【００３２】
１      住宅用暖房融雪システム
２      融雪パイプ
３      ボイラー
４      タービン
５      復水器
６      給水ポンプ
７      発電機
８      熱交換機
９      インバーター
１０    分電盤
１１    噴射孔
【図１】
0003176984.tif 000003
【図２】
0003176984.tif 000004
【図３】
0003176984.tif 000005